(57)【要約】【課題】保安用電子ファックス制御装置を提供する。【解決手段】保安用電子ファックス制御装置は、登録されたファックス番号から受信されるファックスを受信するか遮断することができる。また、保安用電子ファックス制御装置は、外部への送信文書の伝送時に文書認証手続きを経るようにでき、登録された番号への伝送を遮断することができる。【選択図】図５
2009526469.tif 000002
【特許請求の範囲】
【請求項１】
ＰＳＴＮを通じて外部から入力される回線信号を感知してファックスデータを受信するための回線応答部と、
前記回線応答部が感知した前記回線信号に基づいて発信者番号を確認するための発信者確認部と、
前記発信者確認部が確認した前記発信者番号と既に登録されたファックス番号とを比べるための比較部と、
前記比較部が比較した結果に基づいてファックス装置に前記回線信号の連結有無を制御するための制御信号を出力するための制御部と、
前記制御部から出力された前記制御信号に応答して、前記回線信号を前記ファックス装置に連結するための回線連結部と、を備えることを特徴とする保安用電子ファックス制御装置。
【請求項２】
前記保安用電子ファックス制御装置は、前記制御部から出力された前記制御信号に応答して、前記回線信号を終結するための回線終結信号を前記回線応答部に出力するための回線遮断部をさらに備えることを特徴とする請求項１に記載の保安用電子ファックス制御装置。
【請求項３】
前記保安用電子ファックス制御装置は、遮断される前記回線信号についての情報を保存するための遮断管理部をさらに備え、
前記遮断管理部は、前記回線遮断部から出力された遮断内訳保存信号に応答して、前記発信者確認部から前記遮断される前記回線信号についての情報を受信して保存することを特徴とする請求項２に記載の保安用電子ファックス制御装置。
【請求項４】
送信するファックスデータと着信番号とを含む送信文書を受信して文書認証手続きを経るために前記送信文書を保存するための認証待機部と、
前記認証待機部から出力された前記送信文書を受信して前記送信文書に含まれた前記ファックスデータの内容によって承認権者の認証有無を表わす文書認証信号を出力するための文書認証部と、
前記文書認証部の前記文書認証信号に基づいて前記送信文書の伝送有無を制御するための制御信号を出力するための制御部と、
前記制御部から出力された前記制御信号に応答して、前記送信文書をファックス装置に伝送するための回線連結部と、を備えることを特徴とする保安用電子ファックス制御装置。
【請求項５】
前記文書認証部は、前記送信文書を受信して前記承認権者のコンピュータに承認要請信号をさらに出力することを特徴とする請求項４に記載の保安用電子ファックス制御装置。
【請求項６】
前記保安用電子ファックス制御装置は、前記文書認証部から出力された前記文書認証信号を受信して前記送信番号と既に登録されたファックス番号とを比べて、該比較結果を前記制御部に出力するための比較部をさらに備えることを特徴とする請求項４に記載の保安用電子ファックス制御装置。
【請求項７】
前記保安用電子ファックス制御装置は、前記制御部が出力する制御信号を受信して遮断された送信文書についての情報を保存するための遮断管理部をさらに備えることを特徴とする請求項４に記載の保安用電子ファックス制御装置。
【請求項８】
ＰＳＴＮを通じて外部から入力された回線信号を感知してファックスデータを受信するための回線応答部と、
前記回線応答部が感知した前記回線信号に基づいて発信者番号を確認するための発信者確認部と、
前記発信者確認部が確認した前記発信者番号と既に登録されたファックス番号とを比べるための比較部と、
前記比較部が比較した結果に基づいてファックス装置に前記回線信号の連結有無を制御するための制御信号を出力するための制御部と、
前記制御部から出力された前記制御信号に応答して、前記回線信号を前記ファックス装置に連結するための回線連結部と、
送信するファックスデータと着信番号とを含む送信文書を受信して文書認証手続きを経るために前記送信文書を保存するための認証待機部と、
前記認証待機部から出力された前記送信文書を受信して前記送信文書に含まれた前記ファックスデータの内容によって承認権者の認証有無を表わす文書認証信号を出力するための文書認証部と、を備え、
前記制御部は、前記文書認証部の前記文書認証信号に基づいて前記送信文書の伝送有無を制御するための制御信号をさらに出力し、前記回線連結部は、前記制御部から出力された前記制御信号に応答して、前記送信文書を前記ファックス装置にさらに送信することを特徴とする保安用電子ファックス制御装置。
【請求項９】
保安用電子ファックス制御装置が、ＰＳＴＮを通じて外部から入力された回線信号を感知してファックスデータを受信する段階と、
感知した前記回線信号に基づいて発信者番号を確認する発信者確認段階と、
確認した前記発信者番号と既に登録されたファックス番号とを比べる比較段階と、
比較した結果に基づいてファックス装置に前記回線信号の連結有無を制御する制御段階と、
前記制御段階の結果に基づいて前記回線信号を前記ファックス装置に連結する連結段階と、を備えることを特徴とする保安用電子ファックス制御方法。
【請求項１０】
保安用電子ファックス制御装置が、ＰＳＴＮを通じて送信するファックスデータと着信番号とを含む送信文書を受信して文書認証手続きを経るために前記送信文書を保存する認証待機段階と、
前記送信文書に含まれた前記ファックスデータの内容によって承認権者の認証有無を表わす文書認証信号を出力する文書認証段階と、
前記文書認証段階の結果に基づいて前記送信文書の伝送有無を制御する制御段階と、
前記制御段階の結果に応答して、前記送信文書をファックス装置に送信する回線連結段階と、を備えることを特徴とする保安用電子ファックス制御方法。
【請求項１１】
前記保安用電子ファックス制御方法は、前記送信番号と既登録されたファックス番号とを比べる比較段階をさらに備え、前記制御段階は、前記文書認証段階の結果及び前記比較段階の比較結果に基づいて前記送信文書を遮断するか、前記ファックス装置に送信するように制御することを特徴とする請求項１０に記載の保安用電子ファックス制御方法。
【請求項１２】
請求項９ないし請求項１１のうち何れか一項に記載の方法を行うためのプログラムを記録した記録媒体。
【発明の詳細な説明】
【技術分野】
【０００１】
本発明は、ファックス（ｆａｘ）装置の制御装置に係り、より詳細には、ファックス装置の送受信時に保安機能を強化することができる保安用電子ファックス制御装置と制御方法とに関する。
【背景技術】
【０００２】
一般的に、ファックス装置は、公衆電話網（Ｐｕｂｌｉｃ  Ｓｗｉｔｃｈｅｄ  Ｔｅｌｅｐｈｏｎｅ  Ｎｅｔｗｏｒｋ：以下、ＰＳＴＮ）に連結されており、ＰＳＴＮに連結された他のファックス装置と文書データを送受信し、該受信した文書データを出力することができる装置を言う。
【０００３】
ファックス装置は、このようにＰＳＴＮに連結されていてファックス番号さえ分かれば、誰にでもファックスデータを伝送することができて、広告ファックスなどのような不要なデータが受信されてしまう短所がある。また、現代社会の情報の重要性はさらに高まっている一方で、ファックス装置を通じて送受信するデータ用の保安装置は十分とはいえないものだった。したがって、ファックス装置を通じるデータの送受信時に発信番号及び／または着信番号をフィルタリング（ｆｉｌｔｅｒｉｎｇ）できるだけではなく、ファックスデータの伝送時に承認権者の承認を受けることができる認証手続きを経るようにして保安を強化することができる技術が要求される。
【０００４】
すなわち、ファックス装置が、特定着信番号へのファックスデータの伝送を遮断する機能を含んでいる場合には、ファックスデータを受信する宛先毎に対応付けた保安装置はある程度設けられていると言えるが、ファックスデータの内容自体に対応付けた特別な保安装置が必要になる。例えば、競争会社に対してファックスデータの伝送を遮断した場合には、競争会社への情報の伝送はできない。しかし、会社の機密文書の場合には、如何なる会社に対してもファックスデータの伝送を遮断する必要があるので、受信番号だけではなく、ファックスデータの内容に対する保安装置が必要となる。
【発明の開示】
【発明が解決しようとする課題】
【０００５】
本発明が果たそうとする技術的な課題は、不要なファックスデータを遮断できるように、特定発信番号からの信号をファックス装置に連結する前にあらかじめ遮断する装置と方法とを提供することである。
【０００６】
本発明が果たそうとする他の技術的な課題は、ファックスデータの伝送時に伝送する文書の内容を承認権者にあらかじめ承認を受けるようにした後、伝送できるようにする装置と方法とを提供することである。
【０００７】
本発明が果たそうとする他の技術的な課題は、ファックスデータの伝送時に特定着信番号への伝送を遮断する装置と方法とを提供することである。
【課題を解決するための手段】
【０００８】
前記技術的課題を果たすための保安用電子ファックス制御装置は、ＰＳＴＮを通じて外部から入力される回線信号を感知してファックスデータを受信するための回線応答部と、前記回線応答部が感知した前記回線信号に基づいて発信者番号を確認するための発信者確認部と、前記発信者確認部が確認した前記発信者番号と既に登録されたファックス番号とを比べるための比較部と、前記比較部が比較した結果に基づいてファックス装置に前記回線信号の連結有無を制御するための制御信号を出力するための制御部と、前記制御部から出力された前記制御信号に応答して、前記回線信号を前記ファックス装置に連結するための回線連結部と、を備える。
【０００９】
前記情報保安電子ファックス制御装置は、前記制御部から出力された前記制御信号に応答して、前記回線信号を終結するための回線終結信号を前記回線応答部に出力するための回線遮断部をさらに備えることができる。
【００１０】
前記保安用電子ファックス制御装置は、遮断される前記回線信号についての情報を保存するための遮断管理部をさらに備え、前記遮断管理部は、前記回線遮断部から出力された遮断内訳保存信号に応答して、前記発信者確認部から前記遮断される前記回線信号についての情報を受信して保存することができる。
【００１１】
前記技術的課題を果たすための保安用電子ファックス制御装置は、送信するファックスデータと着信番号とを含む送信文書を受信して文書認証手続きを経るために前記送信文書を保存するための認証待機部と、前記認証待機部から出力された前記送信文書を受信して前記送信文書に含まれた前記ファックスデータの内容によって承認権者の認証有無を表わす文書認証信号を出力するための文書認証部と、前記文書認証部の前記文書認証信号に基づいて前記送信文書の伝送有無を制御するための制御信号を出力するための制御部と、前記制御部から出力された前記制御信号に応答して、前記送信文書をファックス装置に送信するための回線連結部と、を備える。
【００１２】
前記文書認証部は、前記送信文書を受信して前記承認権者のコンピュータに承認要請信号をさらに出力することができる。
【００１３】
前記保安用電子ファックス制御装置は、前記文書認証部から出力された前記文書認証信号を受信して前記伝送番号と既に登録されたファックス番号とを比べて、該比較結果を前記制御部に出力するための比較部をさらに備えることができる。前記保安用電子ファックス制御装置は、前記制御部が出力する制御信号を受信して遮断された送信文書についての情報を保存するための遮断管理部をさらに備えることができる。
【００１４】
前記技術的課題を果たすための保安用ファックス制御装置は、ＰＳＴＮを通じて外部から入力された回線信号を感知してファックスデータを受信するための回線応答部と、前記回線応答部が感知した前記回線信号に基づいて発信者番号を確認するための発信者確認部と、前記発信者確認部が確認した前記発信者番号と既に登録されたファックス番号とを比べるための比較部と、前記比較部が比較した結果に基づいてファックス装置に前記回線信号の連結有無を制御するための制御信号を出力するための制御部と、前記制御部から出力された前記制御信号に応答して、前記回線信号を前記ファックス装置に連結するための回線連結部と、送信するファックスデータと着信番号とを含む送信文書を受信して文書認証手続きを経るために前記送信文書を保存するための認証待機部と、前記認証待機部から出力された前記送信文書を受信して前記送信文書に含まれた前記ファックスデータの内容によって承認権者の認証有無を表わす文書認証信号を出力するための文書認証部と、を備え、前記制御部は、前記文書認証部の前記文書認証信号に基づいて前記送信文書の伝送有無を制御するための制御信号をさらに出力し、前記回線連結部は、前記制御部から出力された前記制御信号に応答して、前記送信文書を前記ファックス装置にさらに送信する。
【００１５】
前記技術的課題を果たすための保安用ファックス制御方法は、保安用電子ファックス制御装置が、ＰＳＴＮを通じて外部から入力された回線信号を感知してファックスデータを受信する段階と、感知した前記回線信号に基づいて発信者番号を確認する発信者確認段階と、確認した前記発信者番号と既に登録されたファックス番号とを比べる比較段階と、該比較した結果に基づいてファックス装置に前記回線信号の連結有無を制御する制御段階と、前記制御段階の結果に基づいて前記回線信号を前記ファックス装置に連結する連結段階と、を備える。
【００１６】
前記技術的課題を果たすための保安用ファックス制御方法は、保安用電子ファックス制御装置が、ＰＳＴＮを通じて送信するファックスデータと着信番号とを含む送信文書を受信して文書認証手続きを経るために前記送信文書を保存する認証待機段階と、前記送信文書に含まれた前記ファックスデータの内容によって承認権者の認証有無を表わす文書認証信号を出力する文書認証段階と、前記文書認証段階の結果に基づいて前記送信文書の伝送有無を制御する制御段階と、前記制御段階の結果に応答して、前記送信文書をファックス装置に送信する回線連結段階と、を備える。
【００１７】
前記保安用電子ファックス制御方法は、前記伝送番号と既登録されたファックス番号とを比べる比較段階をさらに備え、前記制御段階は、前記文書認証段階の結果及び前記比較段階の比較結果に基づいて前記送信文書を遮断するか、前記ファックス装置に送信するように制御することができる。
【発明の効果】
【００１８】
本発明による保安用電子ファックス制御装置は、不要なファックスデータを遮断できるように、特定発信番号からの信号をファックス装置に連結する前にあらかじめ遮断することによって、不要なデータを出力することで生じる用紙の浪費を防ぐことができる。
【００１９】
また、ファックスデータの伝送時、伝送する文書の内容を承認権者にあらかじめ承認を受けるようにした後に伝送させることによって、伝送されるファックスの内容に対する保安装置の役割を果たす効果がある。また、あらかじめ伝送を遮断するファックス番号を登録することによって、伝送されるファックスの宛先に対する保安装置の役割を果たす効果がある。
【発明を実施するための最良の形態】
【００２０】
本発明と本発明の動作上の利点及び本発明の実施によって達成される目的を十分に理解するためには、本発明の望ましい実施形態を例示する添付図面及び添付図面に記載の内容を参照しなければならない。以下、添付した図面を参照して、本発明の望ましい実施形態を説明することによって、本発明を詳しく説明する。各図面に付された同じ参照符号は、同じ部材を表わす。
【００２１】
図１は、本発明の実施形態による保安用電子ファックス制御装置１００のファックスデータ受信時のブロック図を表わす。図１を参照すれば、本発明による保安用電子ファックス制御装置１００は、回線応答部１１０、発信者確認部１２０、比較部１３０、制御部１４０、及び回線連結部１５０を備える。前記保安用電子ファックス制御装置１００は、回線遮断部１６０及び遮断管理部１７０をさらに備えることができる。
【００２２】
前記回線応答部１１０は、ＰＳＴＮを通じて外部から受信される回線信号を感知してファックスデータを受信する。また、前記回線応答部１１０は、前記回線遮断部１６０から出力される回線終結信号に応答して、前記回線信号を終了する。すなわち、前記回線応答部１１０は、前記回線終結信号に応答して、ＰＳＴＮを通じて外部からかかって来る電話を遮断する役割を果たす。前記回線信号を終了する機能は、前記回線応答部１１０が遂行することができるが、これに限定されるものではなく、前記回線遮断部１６０が遂行しても良い。前記回線信号は、ＰＳＴＮを通じてかかって来るリング信号（ｒｉｎｇ  ｔｏｎｅ）を意味する。
【００２３】
前記発信者確認部１２０は、前記回線応答部１１０が感知した前記回線信号に基づいて発信者番号を確認する。前記比較部１３０は、前記発信者確認部１２０が確認した前記発信者番号と既に登録されたファックス番号とを比べる。前記比較部１３０は、遮断する少なくとも一つのファックス番号を登録するために所定のメモリ装置（図示せず）を備えることができ、前記所定のメモリ装置に登録された少なくとも一つのファックス番号を削除するか、または新たなファックス番号を入力するために、ユーザーが入力可能な所定のインターフェース（図示せず）と連結されうる。
【００２４】
前記所定のメモリ装置に登録されたファックス番号は、ファックスデータを遮断する番号であり、場合によっては、受信可能なファックス番号を登録することもできる。
【００２５】
前記制御部１４０は、前記比較部１３０が比較した結果に基づいてファックス装置に前記回線信号の連結有無を制御するための制御信号を出力する。すなわち、遮断するファックス番号と同一の発信者番号である場合には、前記制御部１４０は回線を遮断させてもよい。そうではない場合には、前記制御部１４０はファックス装置に回線を連結させてファックス装置に前記回線信号を通じて受信されるファックスデータを出力させてもよい。
【００２６】
前記回線連結部１５０は、前記制御部１４０から出力される前記制御信号を受信し、該受信された前記制御信号に応答して、前記回線信号を前記ファックス装置に連結する。すなわち、遮断する番号ではない番号からファックスが受信される場合には、前記保安用電子ファックス制御装置１００は、ファックス装置がＰＳＴＮに直接連結されたように、外部電話連結端子とファックス装置との間で通路の役割を果たすのみでもよい。
【００２７】
前記保安用電子ファックス制御装置１００は、前記制御部１４０から出力される前記制御信号を受信し、該受信された前記制御信号に応答して、前記回線信号を終結するための回線終結信号を前記回線応答部１１０に出力するための回線遮断部１６０をさらに備えることができる。すなわち、遮断する番号に登録された発信番号からファックスが受信される場合には、前記回線遮断部１６０は電話を遮断する役割を果たすが、この際、前記回線応答部１１０を介してもよく、前記回線遮断部１６０が直接ＰＳＴＮに回線終結信号を出力しても良い。
【００２８】
前記保安用電子ファックス制御装置１００は、遮断される回線信号についての情報を保存するための遮断管理部１７０をさらに備えることができる。前記遮断管理部１７０は、前記回線遮断部１６０から出力される遮断内訳保存信号を受信し、該受信された前記遮断内訳保存信号に応答して、前記発信者確認部１２０から前記遮断される回線信号についての情報を受信して保存する。前記遮断管理部１７０が、前記遮断される回線信号についての情報を受信する所は場合によって異なりうる。すなわち、前記制御部１４０または前記比較部１３０からも受信することができる。
【００２９】
前記遮断される回線信号についての情報は、前記遮断される回線信号の発信番号、受信時間など多様であり得る。また、前記遮断管理部１７０は、前記遮断管理部１７０に保存された内容をユーザーが確認できるように所定のディスプレイ装置（図示せず）と連結されることができ、確認した内容を削除できるように所定のインターフェース装置（図示せず）と連結されうる。
【００３０】
図２は、図１に示した保安用電子ファックス制御装置１００のファックスデータ受信時のフローチャートを表わす。図１と図２を参照すれば、前記保安用電子ファックス制御装置１００の前記回線応答部１１０は、ＰＳＴＮを通じて受信される回線信号を感知する（Ｓ１００）。前記発信者確認部１２０は、前記回線信号に基づいて発信者番号を確認する（Ｓ１１０）。前記比較部１３０は、確認した前記発信番号と既に登録されたファックス番号とを比べる（Ｓ１２０）。前記制御部１４０は、比較結果に基づいて回線を連結するか、遮断するか否かを制御する。前記制御部１４０の制御に応答して、前記回線連結部１５０は、ＰＳＴＮの回線とファックス装置の回線とを連結する（Ｓ１３０）。または、前記制御部１４０の制御に応答して、前記回線遮断部１６０は、回線を遮断する（Ｓ１４０）。前記遮断管理部１７０は、遮断された回線信号についての情報を保存する（Ｓ１５０）。
【００３１】
図３は、本発明の実施形態による保安用電子ファックス制御装置２００のファックスデータ送信時のブロック図を表わす。図３を参照すれば、本発明による保安用電子ファックス制御装置２００は、認証待機部２１０、文書認証部２２０、制御部２４０、及び回線連結部２５０を備える。前記保安用電子ファックス制御装置２００は、比較部２３０及び遮断管理部２６０をさらに備えることができる。
【００３２】
前記認証待機部２１０は、送信するファックスデータと着信番号とを含む送信文書を受信して文書認証手続きを経るために前記送信文書を保存する。例えば、前記保安用電子ファックス制御装置２００が、ファックスを送受信することができるコンピュータに備えられた場合、またはファックスを送受信することができるコンピュータとファックス装置との間に備えられた場合であれば、前記認証待機部２１０は、送信文書をファックスデータを送信する送信者コンピュータから受信する。または、前記保安用電子ファックス制御装置２００が、端末機の形態にファックス装置に連結された場合であれば、前記認証待機部２１０は、送信文書をスキャナーが装着された前記ファックス装置から受信することもできる。
【００３３】
前記文書認証部２２０は、前記認証待機部２１０から出力された前記送信文書を受信して前記送信文書に含まれた前記ファックスデータの内容によって承認権者の認証有無を表わす文書認証信号を出力する。すなわち、前記文書認証部２２０は、送信文書の内容が外部に伝送しても良いか否かに対する信号を出力する。
【００３４】
前記文書認証部２２０は、前記送信文書を受信して前記承認権者のコンピュータに承認要請信号をさらに出力することができる。すなわち、前記文書認証部２２０は、送信文書の内容が外部に伝送しても良いか否かに対する信号を出力するために、前記承認権者のコンピュータに前記承認要請信号を出力することができる。前記承認権者のコンピュータから承認信号が受信される場合には、前記文書認証部２２０は、前記制御部２４０に認証を許容するか否かを表わす前記文書認証信号を出力する。
【００３５】
前記文書認証部２２０が、前記承認信号を受信するためには、いくつかの段階の承認手続きを経ることもできる。この際、前記文書認証部２２０が、前記制御部２４０に文書認証信号を出力するためには、最終承認権者からの承認を含む承認信号を受信しなければならないこともできる。すなわち、前記文書認証部２２０が、承認要請信号を出力するコンピュータ（承認権者）と前記文書認証部２２０に承認信号を出力するコンピュータ（承認権者）は、相異なることもある。
【００３６】
また、前記文書認証部２２０は、前記認証待機部２１０から前記送信文書を直接受信せず、前記認証待機部２１０から送信文書が受信されたという所定の信号を受信し、前記所定の信号を受信すれば、前記承認権者コンピュータから承認要請信号を出力することもできる。この際、前記認証待機部２１０が、前記承認権者コンピュータに前記送信文書についての情報を出力することが望ましい。
【００３７】
前記制御部２４０は、前記文書認証部２２０の前記文書認証信号に基づいて前記送信文書の伝送有無を制御するための制御信号を出力する。すなわち、前記制御部２４０が、前記文書認証部２２０から文書認証の拒否を表わす文書認証信号を受信した場合には、前記遮断管理部２６０に相応する制御信号を出力する。または、前記制御部２４０が、前記文書認証部２２０から無線認証の許容を表わす文書認証信号を受信した場合には、前記回線連結部２５０に相応する制御信号を出力する。
【００３８】
前記回線連結部２５０は、前記制御部２４０から出力された前記制御信号に応答して、前記送信文書をファックス装置に伝送する。前記ファックス装置は、受信した前記送信文書をＰＳＴＮを通じて前記着信番号に該当するファックス装置に伝送する。
【００３９】
前記回線連結部２５０は、前記送信文書をＰＳＴＮを通じて前記着信番号に該当する前記ファックス装置に伝送せずに、前記着信番号に該当する前記ファックス装置に所定の連結信号のみを出力して、前記認証待機部２１０が前記回線連結部２５０の代わりに前記ファックス装置に対して前記送信文書を伝送することもできる。前記保安用電子ファックス制御装置２００は、前記文書認証部２００から出力された前記文書認証信号を受信して前記送信番号と既に登録されたファックス番号とを比べて、該比較結果を前記制御部２４０に出力するための前記比較部２３０をさらに備えることができる。
【００４０】
前記比較部２３０は、前記送信文書に含まれた着信番号と既に登録されたファックス番号とを比べる。前記比較部２３０は、遮断する少なくとも一つのファックス番号を登録するために所定のメモリ装置（図示せず）を備えることができ、前記所定のメモリ装置に登録された少なくとも一つのファックス番号を削除するか、または新たなファックス番号を入力するために、ユーザーが入力可能な所定のインターフェース（図示せず）と連結されうる。前記所定のメモリ装置に登録された少なくとも一つのファックス番号は、ファックスデータを遮断する番号であるか、あるいは、受信可能な少なくとも一つのファックス番号であり得る。
【００４１】
前記比較部２３０は、前記認証待機部２１０と前記文書認証部２２０との間に備えられることもでき、必ずしも前記文書認証部２２０と前記制御部２４０との間に備えなければならないものではない。前記保安用電子ファックス制御装置２００が、前記比較部２３０を備える場合には、前記文書認証部２２０で文書認証手続きを通過して前記比較部２３０でも遮断されなければ、前記ファックス装置に実際送信文書が伝送される。
【００４２】
前記保安用電子ファックス制御装置２００は、前記制御部２４０が出力する制御信号を受信して遮断された送信文書についての情報を保存するための遮断管理部２６０をさらに備えることができる。前記遮断管理部２６０には、前記送信文書が遮断された経緯（例えば、承認権者の承認拒絶、または遮断された番号への伝送試図）、伝送試図時間、または前記送信文書に含まれたファックスデータなどが保存されうる。
【００４３】
図４は、図３に示した保安用電子ファックス制御装置２００のファックスデータ送信時のフローチャートを表わす。図３及び図４を参照すれば、前記認証待機部２１０は、送信者コンピュータまたはファックス装置が送信登録した（Ｓ２００）送信文書を受信して認証待機のために保存する（Ｓ２１０）。前記文書認証部２２０は、承認権者のコンピュータから出力される承認信号有無によって文書認証信号を前記比較部２３０または前記制御部２４０に出力する（Ｓ２２０）。前記比較部２３０は、前記送信文書に含まれた着信番号と既に登録されたファックス番号とを比べる（Ｓ２３０）。前記制御部２４０は、前記文書認証信号と前記比較部２３０との比較結果に基づいて前記送信文書を伝送するか否かを制御する。前記回線連結部２５０は、前記制御部２４０の制御結果に基づいて出力される制御信号に応答して、前記送信文書を伝送するために前記ファックス装置に回線を連結する（Ｓ２４０）。または、前記遮断管理部２６０は、遮断された前記送信文書についての情報を保存する（Ｓ２５０）。
【００４４】
図５は、本発明の実施形態による保安用電子ファックス制御装置３００のファックスデータ受信時、送信時のブロック図を表わす。図５に図示された保安用電子ファックス制御装置３００のそれぞれの機能ブロックは、図１及び図３に図示された機能ブロックと同一か、または類似した機能を行うので、これらについての詳しい説明は省略する。
【００４５】
前記保安用電子ファックス制御装置３００は、公衆電話網（ＰＳＴＮ）連結端子とファックス装置との間に連結されることもでき、ファックス装置またはファックス装置とデータを送受信することができるコンピュータの内部に備えられることもできる。また、本発明は、コンピュータで読み取り可能な記録媒体にコンピュータで読み取り可能なコードとして具現することが可能である。コンピュータで読み取り可能な記録媒体は、コンピュータシステムによって読み取れるデータが保存されるあらゆる種類の記録装置を含む。コンピュータで読み取り可能な記録媒体の例としては、ＲＯＭ、ＲＡＭ、ＣＤ−ＲＯＭ、磁気テープ、フレキシブルディスク、光データ保存装置などがあり、また、キャリアウエーブ（例えば、インターネットを通じる伝送）の形態に具現されることも含む。また、コンピュータで読み取り可能な記録媒体は、ネットワークで連結されたコンピュータシステムに分散され、分散方式でコンピュータで読み取り可能なコードが保存されて実行可能である。そして、発明を具現するための機能的な（ｆｕｎｃｔｉｏｎａｌ）プログラム、コード及びコードセグメントは、本発明が属する技術分野のプログラマーによって容易に推論されることができる。
【００４６】
本発明は、図面に図示された一実施形態を参考にして説明されたが、これは例示的なものに過ぎず、当業者ならば、これより多様な変形及び均等な他実施形態が可能であるという点を理解できるであろう。したがって、本発明の真の技術的保護範囲は、特許請求の範囲の技術的思想によって決まるべきである。
【産業上の利用可能性】
【００４７】
本発明による保安用電子ファックス制御装置は、ＰＳＴＮ、ファックス装置またはファックスデータを送受信することができるコンピュータに使われうる。
【図面の簡単な説明】
【００４８】
本発明の詳細な説明で引用される図面をより十分に理解するために、各図面の簡単な説明が提供される。
【図１】本発明の一実施形態による保安用電子ファックス制御装置のファックスデータ受信時のブロック図を表わす。
【図２】図１に示した保安用電子ファックス制御装置のファックスデータ受信時のフローチャートを表わす。
【図３】本発明の一実施形態による保安用電子ファックス制御装置のファックスデータ送信時のブロック図を表わす。
【図４】図３に示した保安用電子ファックス制御装置のファックスデータ送信時のフローチャートを表わす。
【図５】本発明の一実施形態による保安用電子ファックス制御装置のファックスデータ受信時、送信時のブロック図を表わす。
【符号の説明】
【００４９】
１００  保安用電子ファックス制御装置
１１０  回線応答部
１２０  発信者確認部
１３０  比較部
１４０  制御部
１５０  回線連結部
２００  保安用電子ファックス制御装置
２１０  認証待機部
２２０  文書認証部
２４０  制御部
２５０  回線連結部
３００  保安用電子ファックス制御装置
【図１】
2009526469.tif 000003
【図２】
2009526469.tif 000004
【図３】
2009526469.tif 000005
【図４】
2009526469.tif 000006
【図５】
2009526469.tif 000007
【国際調査報告】
2009526469.tif 000008
2009526469.tif 000009